(57)【要約】【課題】視機能の総合的かつ信頼性の高い評価が可能となるとともに、より効果的に視機能を訓練することが可能な視機能の測定及び訓練のためのシステムを提供する。【解決手段】本発明に係る視機能を測定及び訓練するためのシステムは、１以上のユーザのユーザ情報を登録するユーザ情報登録手段と、各ユーザの１以上の視機能を測定可能な視機能測定手段と、前記視機能測定手段によりユーザ毎に測定された視機能測定の結果を、各ユーザの前記ユーザ情報に関連付けて保存する測定結果記憶手段と、前記視機能測定の結果を出力する測定結果出力手段と、前記測定結果記憶手段に記憶された複数の前記視機能測定の結果に基づいて、各ユーザの視機能レベルを判定する視機能レベル判定手段と、前記視機能レベルを出力する視機能レベル出力手段と、を備えている。【選択図】図１
2019181063.tif 000002
【特許請求の範囲】
【請求項１】
１以上のユーザのユーザ情報を登録するユーザ情報登録手段と、
各ユーザの１以上の視機能を測定可能な視機能測定手段と、
前記視機能測定手段によりユーザ毎に測定された視機能測定の結果を、各ユーザの前記ユーザ情報に関連付けて保存する測定結果記憶手段と、
前記視機能測定の結果を出力する測定結果出力手段と、
前記測定結果記憶手段に記憶された複数の前記視機能測定の結果に基づいて、各ユーザの視機能レベルを判定する視機能レベル判定手段と、
前記視機能レベルを出力する視機能レベル出力手段と、
を備えることを特徴とする視機能を測定及び訓練するためのシステム。
【請求項２】
１以上の測定サイトと、該１以上の測定サイトと電子通信回線を介して接続される管理サイトとを含み、
前記１以上の測定サイトのそれぞれは、前記ユーザ情報登録手段、前記視機能測定手段、前記測定結果記憶手段、及び前記出力手段を備え、前記管理サイトは、前記ユーザ情報登録手段及び前記測定結果記憶手段を備えており、
前記１以上の測定サイトのそれぞれの前記ユーザ情報登録手段及び前記測定結果記憶手段中の情報は、前記電子通信回線を介して前記管理サイトに送信され、前記管理サイトの前記ユーザ情報登録手段及び前記測定結果記憶手段中の情報は、当該送信された情報とそれぞれ統合され、
前記管理サイトの前記ユーザ情報登録手段中の情報は、前記電子通信回線を介して前記１以上の測定サイトのそれぞれに送信され、前記１以上の測定サイトのそれぞれの前記ユーザ情報登録手段中の情報は、当該送信された情報と統合される、ことを特徴とする請求項１に記載のシステム。
【請求項３】
前記視機能測定手段は、複数の視機能を測定可能な汎用視機能測定手段を含むことを特徴とする請求項１または２に記載のシステム。
【請求項４】
前記視機能測定手段は、少なくとも１つの視機能を測定するための専用測定器を含むことを特徴とする請求項１から３のいずれか１項に記載のシステム。
【請求項５】
前記視機能レベル判定手段は、前記管理サイトの前記測定結果記憶手段に保存されている前記視機能測定の結果に少なくとも部分的に基づいて作成された判定基準を使用して、各ユーザの視機能レベルを判定することを特徴とする請求項２から４のいずれか１項に記載のシステム。
【請求項６】
前記測定結果記憶手段に保存されている複数の測定機会にわたる前記視機能測定の結果の履歴を、ユーザ毎かつ視機能毎に出力する測定結果履歴出力手段をさらに含むことを特徴とする請求項１から５のいずれか１項に記載のシステム。
【請求項７】
前記汎用視機能測定手段は、表示／操作手段と、制御手段とを備え、前記制御手段は、前記表示／操作手段に、視機能の測定及び訓練のためのコンテンツを表示させ、前記表示／操作手段は、前記コンテンツに応じてユーザが当該表示／操作手段に対して実行した操作の情報を前記制御手段に送信し、前記制御手段は、受信した前記操作の情報に基づいて前記操作の正否を判定することを特徴とする請求項３から６のいずれか１項に記載のシステム。
【請求項８】
前記コンテンツには、前記表示／操作手段の相互に異なる位置に所定の時間順次表示される１種以上の標的を含むコンテンツが含まれ、該コンテツにおいて、指定された種類の標的が表示されている間に、該標的に対して実行された操作が正当な操作と判定されることを特徴とする請求項７に記載のシステム。
【請求項９】
前記コンテンツには、前記表示／操作手段の特定の位置にランダムに点滅表示される複数種類の標的と、該標的が表示される位置とは異なる位置に表示される入力位置とを含むコンテンツが含まれ、該コンテンツにおいて、指定された種類の標的が表示されている間に、前記入力位置に対して実行された操作が正当な操作と判定されることを特徴とする請求項７または８に記載のシステム。
【請求項１０】
前記コンテンツには、前記表示／操作手段の相互に異なる位置に表示される複数の標的群を含み、これらの標的群が所定の順序でその表示態様を変化させるコンテツが含まれ、該コンテツにおいて、標的群のうちの１つが指定の態様で表示される間に当該標的群に対して実行された操作が正当な操作と判定されることを特徴とする請求項７から９のいずれか１項に記載のシステム。
【請求項１１】
前記コンテンツには、前記表示／操作手段に所定の時間表示される符号列と、該符号列に対応する入力部とを含むコンテンツが含まれ、該コンテンツにおいて、前記符号列と、その表示の終了後に前記入力部に入力された符号列とが一致しているときに正当な操作と判定されることを特徴とする請求項７から１０のいずれか１項に記載のシステム。
【請求項１２】
前記コンテンツには、前記表示／操作手段に表示される表示位置が移動する１以上の標的と、該標的上に所定のタイミングで表示され、複数の表示態様を備える標識とを含むコンテンツが含まれ、該コンテンツにおいて、前記標識の指定された表示態様の入力が正当な操作と判定されることを特徴とする請求項７から１１のいずれか１項に記載のシステム。
【請求項１３】
前記コンテンツには、前記表示／操作手段に表示される、複数の標的を含む三次元空間を二次元面に投影した投影画像を含むコンテンツが含まれ、前記表示／操作手段に、前記投影画像のうち１つの問題画像が所定の時間表示された後、前記投影画像のうち複数の解答候補画像が表示され、前記複数の解答候補画像は、前記問題画像と同一の三次元空間を前記問題画像とは異なる視点から見た投影画像である正解画像と、前記問題画像とは異なる三次元空間に対応する不正解画像とからなるコンテンツが含まれており、該コンテンツにおいて、前記正解画像の入力が正当な操作と判定されることを特徴とする請求項７から１２のいずれか１項に記載のシステム。
【請求項１４】
前記コンテンツには、前記表示／操作手段の相互に異なる位置に表示される回転する複数の標的を含み、該複数の標的のうちの１つが他の標的とは異なる速度で回転するコンテンツが含まれ、該コンテンツにおいて、前記他の標的とは異なる速度で回転する標的に対して実行された操作が正当な操作と判定されることを特徴とする請求項７から１３のいずれか１項に記載のシステム。
【請求項１５】
前記コンテンツには、前記表示／操作手段の相互に異なる位置に表示される複数の標的を含み、該複数の標的が所定の順序で点滅するコンテンツが含まれており、該コンテンツにおいて、全ての標的の点滅が終了した後、前記複数の標的に対して、それらが点滅した順で実行された操作が正当な操作と判定されることを特徴とする請求項７から１４のいずれか１項に記載のシステム。
【発明の詳細な説明】
【技術分野】
【０００１】
本発明は、視機能を測定及び訓練するためのシステムに関する。
【背景技術】
【０００２】
従来、人間の視機能のうち特に動体視力を測定し、向上させるためのプログラムが提案されている（例えば、特許文献１参照）。
【先行技術文献】
【特許文献】
【０００３】
【特許文献１】特開２００６−２８８９１６号公報
【発明の開示】
【発明が解決しようとする課題】
【０００４】
近年、人間の身体動作における視機能の役割の重要性が注目を集めるにつれて、視機能の総合的かつ信頼性の高い評価が可能となるとともに、より効果的に視機能を訓練することが可能な視機能の測定及び訓練のためのシステムに対する強い要望がある。
【０００５】
本発明は、上記課題に鑑みてなされたものであり、視機能の総合的かつ信頼性の高い評価が可能となるとともに、より効果的に視機能を訓練することが可能な視機能の測定及び訓練のためのシステムを提供することを目的とする。
【課題を解決するための手段】
【０００６】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００７】
ここで、本発明において、「視機能」という用語は、狭義の視覚の機能（例えば、静止視力、動体視力）だけではなく、視覚刺激から提供される情報に応じて、様々な状況に応じた適切な身体動作を実行するために必要な認知機能及び運動機能を含む意味で用いられる。
【０００８】
（１）１以上のユーザのユーザ情報を登録するユーザ情報登録手段と、各ユーザの１以上の視機能を測定可能な視機能測定手段と、前記視機能測定手段によりユーザ毎に測定された視機能測定の結果を、各ユーザの前記ユーザ情報に関連付けて保存する測定結果記憶手段と、前記視機能測定の結果を出力する測定結果出力手段と、前記測定結果記憶手段に記憶された複数の前記視機能測定の結果に基づいて、各ユーザの視機能レベルを判定する視機能レベル判定手段と、前記視機能レベルを出力する視機能レベル出力手段と、を備えることを特徴とする視機能を測定及び訓練するためのシステム。
【０００９】
（２）（１）項に記載のシステムにおいて、１以上の測定サイトと、該１以上の測定サイトと電子通信回線を介して接続される管理サイトとを含み、前記１以上の測定サイトのそれぞれは、前記ユーザ情報登録手段、前記視機能測定手段、前記測定結果記憶手段、及び前記出力手段を備え、前記管理サイトは、前記ユーザ情報登録手段及び前記測定結果記憶手段を備えており、前記１以上の測定サイトのそれぞれの前記ユーザ情報登録手段及び前記測定結果記憶手段中の情報は、前記電子通信回線を介して前記管理サイトに送信され、前記管理サイトの前記ユーザ情報登録手段及び前記測定結果記憶手段中の情報は、当該送信された情報とそれぞれ統合され、前記管理サイトの前記ユーザ情報登録手段中の情報は、前記電子通信回線を介して前記１以上の測定サイトのそれぞれに送信され、前記１以上の測定サイトのそれぞれの前記ユーザ情報登録手段中の情報は、当該送信された情報と統合される、ことを特徴とするシステム。
【００１０】
（３）（１）または（２）項に記載のシステムにおいて、前記視機能測定手段は、複数の視機能を測定可能な汎用視機能測定手段を含むことを特徴とするシステム。
【００１１】
（４）（１）から（３）のいずれか１項に記載のシステムにおいて、前記視機能測定手段は、少なくとも１つの視機能を測定するための専用測定器を含むことを特徴とするシステム。
【００１２】
（５）（２）から（４）のいずれか１項に記載のシステムにおいて、前記視機能レベル判定手段は、前記管理サイトの前記測定結果記憶手段に保存されている前記視機能測定の結果に少なくとも部分的に基づいて作成された判定基準を使用して、各ユーザの視機能レベルを判定することを特徴とするシステム。
【００１３】
（６）（１）から（５）のいずれか１項に記載のシステムにおいて、前記測定結果記憶手段に保存されている複数の測定機会にわたる視機能測定の結果の履歴を、ユーザ毎かつ視機能毎に出力する測定結果履歴出力手段をさらに含むことを特徴とするシステム。
【００１４】
（７）（３）から（６）のいずれか１項に記載のシステムにおいて、前記汎用視機能測定手段は、表示／操作手段と、制御手段とを備え、前記制御手段は、前記表示／操作手段に、視機能の測定及び訓練のためのコンテンツを表示させ、前記表示／操作手段は、前記コンテンツに応じてユーザが当該表示／操作手段に対して実行した操作の情報を前記制御手段に送信し、前記制御手段は、受信した前記操作の情報に基づいて前記操作の正否を判定することを特徴とするシステム。
【００１５】
（８）（７）項に記載のシステムにおいて、前記コンテンツには、前記表示／操作手段の相互に異なる位置に所定の時間順次表示される１種以上の標的を含むコンテンツが含まれ、該コンテツにおいて、指定された種類の標的が表示されている間に、該標的に対して実行された操作が正当な操作と判定されることを特徴とするシステム。
【００１６】
（９）（７）または（８）項に記載のシステムにおいて、前記コンテンツには、前記表示／操作手段の特定の位置にランダムに点滅表示される複数種類の標的と、該標的が表示される位置とは異なる位置に表示される入力位置とを含むコンテンツが含まれ、該コンテンツにおいて、指定された種類の標的が表示されている間に、前記入力位置に対して実行された操作が正当な操作と判定されることを特徴とするシステム。
【００１７】
（１０）（７）から（９）のいずれか１項に記載のシステムにおいて、前記コンテンツには、前記表示／操作手段の相互に異なる位置に表示される複数の標的群を含み、これらの標的群が所定の順序でその表示態様を変化させるコンテツが含まれ、該コンテツにおいて、標的群のうちの１つが指定の態様で表示される間に当該標的群に対して実行された操作が正当な操作と判定されることを特徴とするシステム。
【００１８】
（１１）（７）から（１０）のいずれか１項に記載のシステムにおいて、前記コンテンツには、前記表示／操作手段に所定の時間表示される符号列と、該符号列に対応する入力部とを含むコンテンツが含まれ、該コンテンツにおいて、前記符号列と、その表示の終了後に前記入力部に入力された符号列とが一致しているときに正当な操作と判定されることを特徴とするシステム。
【００１９】
（１２）（７）から（１１）のいずれか１項に記載のシステムにおいて、前記コンテンツには、前記表示／操作手段に表示される表示位置が移動する１以上の標的と、該標的上に所定のタイミングで表示され、複数の表示態様を備える標識とを含むコンテンツが含まれ、該コンテンツにおいて、前記標識の指定された表示態様の入力が正当な操作と判定されることを特徴とするシステム。
【００２０】
（１３）（７）から（１２）のいずれか１項に記載のシステムにおいて、前記コンテンツには、前記表示／操作手段に表示される、複数の標的を含む三次元空間を二次元面に投影した投影画像を含むコンテンツが含まれ、前記表示／操作手段に、前記投影画像のうち１つの問題画像が所定の時間表示された後、前記投影画像のうち複数の解答候補画像が表示され、前記複数の解答候補画像は、前記問題画像と同一の三次元空間を前記問題画像とは異なる視点から見た投影画像である正解画像と、前記問題画像とは異なる三次元空間に対応する不正解画像とからなるコンテンツが含まれており、該コンテンツにおいて、前記正解画像の入力が正当な操作と判定されることを特徴とするシステム。
【００２１】
（１４）（７）から（１３）のいずれか１項に記載のシステムにおいて、前記コンテンツには、前記表示／操作手段の相互に異なる位置に表示される回転する複数の標的を含み、該複数の標的のうちの１つが他の標的とは異なる速度で回転するコンテンツが含まれ、該コンテンツにおいて、前記他の標的とは異なる速度で回転する標的に対して実行された操作が正当な操作と判定されることを特徴とするシステム。
【００２２】
（１５）（７）から（１４）のいずれか１項に記載のシステムにおいて、前記コンテンツには、前記表示／操作手段の相互に異なる位置に表示される複数の標的を含み、該複数の標的が所定の順序で点滅するコンテンツが含まれており、該コンテンツにおいて、全ての標的の点滅が終了した後、前記複数の標的に対して、それらが点滅した順で実行された操作が正当な操作と判定されることを特徴とするシステム。
【発明の効果】
【００２３】
本発明によれば、より効果的に視機能を訓練することが可能となるとともに、視機能の総合的かつ信頼性の高い評価が可能な視機能の総合的かつ信頼性の高い評価が可能となる。
【図面の簡単な説明】
【００２４】
【図１】本発明の一実施形態における視機能を測定及び訓練するためのシステムの要部を模式的に示すブロック図である。
【図２】本発明の一実施形態における視機能を測定及び訓練するためのシステムにおいて、測定サイトの構成を模式的に示すブロック図である。
【図３】本発明の一実施形態における視機能を測定及び訓練するためのシステムにおいて、管理サイトの構成を模式的に示すブロック図である。
【図４】本発明の一実施形態における視機能を測定及び訓練するためのシステムにおいて、汎用視機能測定手段の視機能測定のためのコンテンツの一例を示す図である。
【図５】本発明の一実施形態における視機能を測定及び訓練するためのシステムにおいて、汎用視機能測定手段の視機能測定のためのコンテンツの一例を示す図である。
【図６】本発明の一実施形態における視機能を測定及び訓練するためのシステムにおいて、汎用視機能測定手段の視機能測定のためのコンテンツの一例を示す図である。
【図７】本発明の一実施形態における視機能を測定及び訓練するためのシステムにおいて、汎用視機能測定手段の視機能測定のためのコンテンツの一例を示す図である。
【図８】本発明の一実施形態における視機能を測定及び訓練するためのシステムにおいて、汎用視機能測定手段の視機能測定のためのコンテンツの一例を示す図である。
【図９】本発明の一実施形態における視機能を測定及び訓練するためのシステムにおいて、汎用視機能測定手段の視機能測定のためのコンテンツの一例を示す図である。
【図１０】本発明の一実施形態における視機能を測定及び訓練するためのシステムにおいて、汎用視機能測定手段の視機能測定のためのコンテンツの一例を示す図である。
【図１１】本発明の一実施形態における視機能を測定及び訓練するためのシステムにおいて、汎用視機能測定手段の視機能測定のためのコンテンツの一例を示す図である。
【図１２】本発明の一実施形態における視機能を測定及び訓練するためのシステムにおいて、汎用視機能測定手段の視機能測定のためのコンテンツの一例を示す図である。
【図１３】本発明の一実施形態における視機能を測定及び訓練するためのシステムにおいて、汎用視機能測定手段の視機能測定のためのコンテンツの一例を示す図である。
【発明を実施するための形態】
【００２５】
以下、本発明の実施形態に係る視機能を測定及び訓練するためのシステムを、図面を参照して説明する。図１には、本発明の一実施形態における視機能を測定及び訓練するためのシステム（以下、単にシステムともいう）の要部が模式的に示されている。図１に示すシステム１は、複数の測定サイトＣ１〜Ｃｎを備えている。図１には、簡明さのため２つの測定サイトのみが図示されているが、本実施形態において、システム１は、１以上の任意の数（ｎ個）の測定サイトを備えるものであってもよい。また、１つの測定サイト（例えば、測定サイトＣ１）について説明した事項は、全ての他の測定サイトについても共通である。システム１は、さらに、１つの管理サイトＳを備えており、管理サイトＳと複数の測定サイトＣ１〜Ｃｎとは、電気通信回線２０を介して接続されている。
【００２６】
測定サイトＣ１は、表示／操作手段１０と、制御手段１１と、記憶手段１２とを備えている。測定サイトＣ１において、ユーザ情報登録手段及び測定結果記憶手段は、記憶手段１２から構成され、視機能測定手段は、表示／操作手段１０及び制御手段１１から構成される。この場合、視機能測定手段は、各ユーザの複数の視機能を測定可能な汎用視機能測定手段（以下、参照符号として１０、１１を付す）であり、制御手段１１は、表示／操作手段１０に、複数の視機能のそれぞれに対して、その視機能測定のための後述するコンテンツを表示させ、表示／操作手段１０は、上記のコンテンツに応じてユーザが表示／操作手段１０に対して実行した操作の情報を制御手段１１に送信する。そして、制御手段１１は、受信した表示／操作手段１０に対する操作の情報に基づいて、この操作の正否の判定を含む測定結果を生成するように構成される。
【００２７】
ここで、汎用視機能測定手段１０、１１において、ユーザのための視機能の測定と訓練とは、後述するコンテンツを使用してユーザと汎用視機能測定手段１０、１１との同一の相互作用を通じて行われるものであり、以下において、汎用視機能測定手段１０、１１に関して単に「測定」という用語は、特に明示して断らない限り、「測定及び訓練」と同義の用語として使用される。
【００２８】
本実施形態において、制御手段１１は、さらに、測定サイトＣ１を利用する１以上のユーザが表示／操作手段１０を介してユーザ情報を入力し、及び／または、システム１にログインするために必要な機能、並びに、入力されたユーザ情報をユーザ情報登録手段に記録する機能を備えており、これによって、各ユーザのユーザ情報は、ユーザ情報登録手段に保存される。また、制御手段１１は、生成された視機能測定の測定結果を、測定結果記憶手段に記録する機能も備えており、これによって、汎用視機能測定手段１０、１１によりユーザ毎に測定された視機能測定の結果は、各ユーザのユーザ情報に関連付けられて測定結果記憶手段に保存される。
【００２９】
さらに、制御手段１１は、表示／操作手段１０に、視機能測定の結果を出力させる機能も備えており、これによって、汎用視機能測定手段１０、１１は、本実施形態における測定結果出力手段も構成する。また、制御手段１１は、測定結果記憶手段に記憶された視機能測定の結果に基づいて、各ユーザの視機能レベル（詳細については後述する）を判定する機能を備えるとともに、表示／操作手段１０に、この視機能レベルを出力する機能も備えている。これによって、制御手段１１は、本実施形態における視機能レベル判定手段を構成し、また、汎用視機能測定手段１０、１１は、本実施形態における視機能レベル出力手段を構成する。
【００３０】
システム１において、管理サイトＳは、制御手段３１と、記憶手段３２とを備えている。管理サイトＳにおいて、ユーザ情報登録手段及び測定結果記憶手段は、記憶手段３２から構成される。この際、管理サイトＳの制御手段３１は、後述するように、管理サイトＳのユーザ情報登録手段及び測定結果記憶手段中の情報を管理するための機能を備えるものであってもよい。
【００３１】
そして、システム１において、各測定サイト（例えば、測定サイトＣ１）のそれぞれの制御手段１１と、管理サイトＳの制御手段３１とは、電子通信回線２０を介して通信するための通信機能を備えている。特に、各測定サイトのユーザ情報登録手段中の情報は、制御手段１１により所定のタイミングで電子通信回線２０を介して管理サイトＳに送信され、管理サイトＳのユーザ登録手段中の情報は、制御手段３１により、この送信された情報と統合される。言い換えれば、送信された情報に基づいて、管理サイトＳのユーザ登録手段中の情報が更新される。また、各測定サイトの測定結果記憶手段中の情報は、制御手段１１により電子通信回線２０を介して管理サイトＳに送信され、管理サイトＳの測定結果記憶手段中の情報は、制御手段３１により、この送信された情報と統合される。言い換えれば、送信された情報に基づいて、管理サイトＳの測定結果記憶手段中の情報が更新される。さらに、管理サイトＳのユーザ登録手段中の情報は、制御手段３１により、所定のタイミングで電子通信回線２０を介して各測定サイトに送信され、各測定サイトのユーザ情報登録手段中の情報は、制御手段１１により、この送信された情報と統合される。言い換えれば、送信された情報に基づいて、各測定サイトのユーザ情報登録手段中の情報が更新される。
【００３２】
この結果、管理サイトＳのユーザ情報登録手段には、全測定サイトのユーザ情報登録手段及び測定結果記憶手段中の通信時点で最新の情報が保存され、それぞれの測定サイト（例えば、測定サイトＣ１）のユーザ情報登録手段には、その測定サイト（例えば、測定サイトＣ１）最新の情報と、他の測定サイト（例えば、測定サイトＣ２〜Ｃｎ）の通信時点での最新の情報が保存されることになる。
【００３３】
ここで、システム１において、各測定サイトＣ１〜Ｃｎの制御手段１１は、典型的には、パーソナルコンピュータ等のコンピュータシステム、記憶手段１２は、このコンピュータシステムが備える不揮発性の記憶装置、表示／操作装置１０は、このコンピュータシステムが備えるタッチパネル付きディスプレイ装置からそれぞれ構成される。この場合、上述した及び後述する制御手段１１の各種の機能は、周知技術を用いて、それぞれ対応する機能を実現するプログラムまたはプログラム要素として実装される。同様に、典型的には、管理サイトＳの制御手段３１は、コンピュータシステム、記憶手段３２は、このコンピュータシステムが備える不揮発性の記憶装置からそれぞれ構成される。この場合、上述した及び後述する制御手段３１の各種の機能は、周知技術を用いて、それぞれ対応する機能を実現するプログラムまたはプログラム要素として実装される。さらに、電子通信回線２０は、典型的には、インターネットであり、この場合、各測定サイトと管理サイトＳとのインターネット２０を介した通信は、各測定サイトＣ１〜Ｃｎの制御手段１１をクライアント、管理サイトＳの制御手段３１をサーバとする、公知のクライアントサーバシステムとして実装されるものであってもよい。
【００３４】
また、図１に示すシステム１は、複数の測定サイトＣ１〜Ｃｎと管理サイトＳとが、電子通信回線２０を介して接続されたシステムとしたが、本発明に係る視機能を測定及び訓練するためのシステムは、測定サイト（例えば、測定サイトＣ１）単独のシステムとして構成されるものであってもよい。
【００３５】
さらに、システム１では、各測定サイトＣ１〜Ｃｎは、汎用視機能測定手段１０、１１を備えるものとしたが、本発明に係る視機能を測定及び訓練するためのシステムは、１以上の測定サイトが、汎用視機能測定手段１０、１１に加えて、または汎用視機能測定手段１０、１１の代わりに、少なくとも１つの視機能を測定するための専用測定器を視機能測定手段として含むものであってもよい。本発明に係る専用測定器としては、例えば、静止視力（所謂「視力」）及びＫＶＡ動体視力（縦方向動体視力）を測定するための測定器、ＤＶＡ動体視力（横方向動体視力）を測定するための測定器、コントラスト感度を測定するための測定器、眼球運動を測定するための測定器、深視力を測定するための測定器、瞬間視力を測定するための測定器等が含まれるが、これらに限定されるものではない。
【００３６】
次に、図２を参照して、システム１における測定サイトＣ１で実現される典型的な機能について説明する。尚、以下の説明では、制御手段１１は、コンピュータシステムから構成され、表示／操作手段１０は、そのコンピュータシステムが備えるタッチパネル付きのディスプレイ装置により構成されるものとし、表示／操作手段１０に表示される画面に対する操作は、画面上の所定の領域（例えば、ボタン領域、メニュー領域、あるいは、他のオブジェクト）に対するユーザの指による接触（タッチ）を意味するものとする。また、以下では、制御手段１０がそのプログラムまたはプログラム要素として実施する各種の機能に応じて、表示／操作手段１０に対して特定の画面等を表示させる事象に対して、単に「表示／操作手段１０にその画面等が表示される」という形式で記載した箇所が存在するが、この記載は、表現を簡明にするためのものであり、実際には、前者の意味であることは言うまでもない。
【００３７】
測定サイトＣ１において、汎用視機能測定手段１０、１１の起動後、表示／操作手段１０には、ログイン画面Ｐ１が表示される。システム１に登録済みのユーザが、このログイン画面Ｐ１に対して所定の操作（例えば、ユーザ名及びパスワードの入力）を実行すると、制御手段１１は、入力された情報を測定サイトＣ１のユーザ情報登録手段に照会し、その認証に成功した場合、ログインが完了する。これによって、表示／操作手段１０に初期画面Ｐ３が表示される。
【００３８】
一方、システム１に未登録のユーザは、ログイン画面Ｐ１に対して所定の操作を実行し、これによって、表示／操作手段１０にユーザ情報登録Ｐ２用の画面が表示される。ユーザがこの画面に対して所定の情報を入力すると、制御手段１１は、入力されたユーザ情報を、測定サイトＣ１のユーザ情報登録手段に新規に登録する。その後、ユーザは、ログイン画面Ｐ１から、上述したようにシステム１にログインすることが可能となる。あるいは、図示は省略するが、ユーザは、所定の情報の入力後、ユーザ情報登録Ｐ２用の画面から直接ログイン可能なものであってもよい。
【００３９】
本発明は、システム１において使用されるユーザ情報によって限定されるものではないが、例えば、ユーザ情報は、ユーザ名、パスワード、性別、生年月日を含むものであってもよい。さらに、ユーザ情報は、ユーザが入力を任意に選択できる項目として、利き手、利き足、身長、視力矯正の有無、視力、競技種目が含まれるものであってよい。
【００４０】
初期画面Ｐ３は、メイン画面とメニュー用画面とが含まれ、メイン画面には、汎用視機能測定手段１０、１１を使用して測定及び訓練可能な全ての視機能にそれぞれ対応するコンテンツのサムネイル画像（図示は省略する）が表示され、メニュー用画面には、ユーザが選択可能なメニュー領域が表示される。メニュー領域には、トレーニング項目Ｐ３１、測定履歴Ｐ３２、総合判定Ｐ３２、ユーザ情報更新Ｐ３３、通知Ｐ３４、及び難易度登録Ｐ３５の各メニュー項目が含まれる。
【００４１】
尚、システム１は、好ましくは、１つの測定サイトＣ１の汎用視機能測定手段１０、１１を通じて同時に複数のユーザがログインすることが可能であるように構成されており、そのため、初期画面Ｐ３には、ログイン画面Ｐ１に戻るためのボタン領域（図示は省略する）が含まれるものであってもよい。初期画面Ｐ３において、このボタン領域を選択することによって、表示／操作手段１０に上述したログイン画面Ｐ１が再度表示され、このログイン画面Ｐ１から、測定サイトＣ１の汎用視機能測定手段１０、１１を通じてシステム１にログインするユーザを追加することができる。
【００４２】
また、これに応じて、汎用視機能測定手段１０、１１は、その初期画面Ｐ３に、測定サイトＣ１の汎用機能測定手段１０、１１に現在ログインしているユーザのユーザ名が含まれるプルダウンリストを表示させるためのボタン領域（図示は省略する）が表示され、このボタン領域を選択することによって表示されるプルダウンリストによって、現在汎用機能測定手段１０、１１を使用しているユーザを切り替え可能なように構成されるものであってもよい。
【００４３】
上述したように、初期画面Ｐ３中のメイン画面には、汎用視機能測定手段１０、１１を使用して測定及び訓練可能な全ての視機能にそれぞれ対応するコンテンツのサムネイル画像が表示されており、ユーザは、所望のコンテンツのサムネイル画像を選択することによって選択したコンテンツを実行し、ひいては対応する視機能の測定及び訓練を実行することができる。この場合、ユーザが、特定のサムネイル画像を選択すると、メイン画面には、まず、選択したサムネイル画像に対応するコンテンツの準備画面Ｐ５が表示される。準備画面Ｐ５には、コンテンツを実行するための実行ボタン領域に加えて、典型的には、対応するコンテンツを説明するためのテキスト及び（存在する場合）実行されるコンテンツの各種設定等が含まれる。次いで、ユーザが、準備画面Ｐ５中の実行ボタン領域を選択すると、メイン画面にコンテンツの実行画面Ｐ６が表示され、これによって、ユーザは、コンテンツに応じた視機能の測定及び訓練を実施することができる。コンテンツの実行が終了すると、制御手段１０は、その回の測定及び訓練における結果を生成し、測定結果を測定サイトＣ１の測定結果記憶手段に記録するとともに、表示／操作手段１０に、測定結果を示す測定結果画面Ｐ７を表示させる。
【００４４】
ここで、コンテンツの測定結果画面Ｐ７には、そのコンテンツに応じた実測値と、コンテンツ毎に設定される判定基準を使用して、当該実測値に対して付与されるレベル値（例えば、５段階の整数）が含まれる。この際、判定基準は、好ましくは、管理サイトＳの測定結果記憶手段に保存されている視機能測定の結果に少なくとも部分的に基づいて作成されるものである。
【００４５】
汎用視機能測定手段１０、１１において、測定結果画面Ｐ７には、同じコンテンツの準備画面Ｐ５に戻るためのボタン領域、及び、初期画面Ｐ３に戻るためのボタン領域も含まれており、ユーサは、それぞれ対応するボタン領域を選択することによって、測定結果画面Ｐ７の表示後の行動を選択することができる。
【００４６】
次に、図２に図示される各メニュー項目について説明する。トレーニング項目Ｐ３１は、汎用視機能測定手段１０、１１を使用して測定及び訓練可能な全ての視機能に対応するコンテンツを、様々な観点から分類した分類名が含まれる。ユーザが、トレーニング項目Ｐ３１に含まれる分類名を選択すると、表示／操作手段１０のメイン画面には、その分類に属するコンテンツのサムネイルのみが表示される。
【００４７】
本発明において、好ましいコンテンツの分類には、例えば、高速系、視野系、認知系といった、視機能の性質に基づく分類、または、スポーツ選手用、一般成人用、子ども用、高齢者用といった、ユーザの属性による分類、あるいは、野球用、サッカー用、テニス用といった、目的（典型的には、目的とする競技）による分類が含まれる。また、コンテンツの分類には、後述する総合判定のために好適なコンテンツが属する総合判定項目が含まれるものであってもよい。
【００４８】
測定履歴Ｐ３２は、測定サイトＣ１の測定結果記憶手段に保存されている複数の測定機会にわたる視機能測定の結果の履歴を、ユーザ毎かつ視機能毎に出力するためのメニュー項目である。このようなメニュー項目を備える点で、汎用視機能測定手段１０、１１は、本実施形態における測定結果履歴出力手段を備えるものである。具体的には、まず、現在汎用機能測定手段１０、１１を使用中のユーザが測定履歴Ｐ３２を選択すると、各視機能に対応するコンテンツのリストが表示される。次いで、そのリストから所望のコンテンツを選択すると、表示／操作手段１０のメイン画面に、当該ユーザの選択したコンテンツに関する現在までの複数の測定機会にわたる視機能測定の結果の履歴が表示される。
【００４９】
本発明は、履歴の表示の形式によって限定されるものではないが、例えば、この履歴は、横軸を測定日、縦軸を測定結果（実測値またはレベル値）とする折れ線グラフの形式で表示されるものであってもよい。
【００５０】
総合判定Ｐ３３は、測定サイトＣ１の測定結果記憶手段に記憶された複数の視機能測定の結果に基づいて、各ユーザの視機能レベルを判定するためのメニュー項目である。このようのメニュー項目を備える点で、汎用機能測定手段１０、１１は、本実施形態における視機能レベル判定手段を備えるものである。具体的には、現在汎用機能測定手段１０、１１を使用中のユーザが総合判定Ｐ３３を選択すると、表示／操作手段１０のメイン画面に、総合判定項目として選択された複数の視機能測定の結果に基づいて判定された、当該のユーザの総合的な視機能レベルを示す画面が表示される。この画面は、好ましくは、上記複数の視機能に対応するコンテツを当該ユーザが実行した結果に付与されたレベル値が（例えば、レーダーチャートの形式）で表示される。また、この画面には、上記複数の視機能に対応するコンテツを当該ユーザが実行した結果に付与されたレベル値に基づいて、総合的な視機能レベルを示す評価及びその評価に関連するコメント等が含まれるものであってもよい。
【００５１】
ユーザ情報更新Ｐ３４は、既に登録されたユーザ情報を更新するためのメニュー項目である。ユーザがユーザ情報更新Ｐ３４を選択すると、表示／操作手段１０に、ユーザ情報登録画面Ｐ２と同様の画面が表示され、この画面からユーザ情報登録手段に登録されているユーザ情報を更新することができる。
【００５２】
通知Ｐ３５は、ユーザが管理サイトＳからの通知を見るためのメニュー項目である。この通知Ｐ３５の使用の典型的な例は、測定サイトＣ１の制御手段１１で実行されるプログラムの更新である。ユーザが通知Ｐ３５を選択すると、表示／操作手段１０に、更新プログラムの有無を通知する画面が表示される。
【００５３】
難易度登録Ｐ３６は、ユーザが各コンテンツの難易度を登録するためのメニュー項目である。ユーザが難易度登録Ｐ３６を選択すると、そのユーザが各コンテンツを実行する際の難易度をコンテンツ毎に設定することができる。
【００５４】
次に、図３を参照して、システム１における管理サイトＳで実現される典型的な機能について説明する。尚、以下の説明では、制御手段３１は、各測定サイトＣ１の制御手段１１をクライアントとする、サーバコンピュータとして機能するものとする。システム１において、制御手段３１は、システム１の管理者が、管理サイトＳにおいてまたはインターネット２０を介して他のサイトからアクセス可能であるように構成され、これによって、管理者は、制御手段３１を用いてシステム１の様々な管理機能Ｓ２を実行する。また、以下の説明において、管理者サイトＳにおいて、制御手段３１が備えるディスプレイ装置（図１への図示は省略する）、または、他のサイトにおいて管理者が使用するシステムにおけるディスプレイ装置へのリスト等の表示を、単に表示という。
【００５５】
管理者が、制御手段の管理機能Ｓ２にログインＳ１した後に、実行可能な管理機能には、次の機能が含まれる。管理者は、ユーザ情報登録機能Ｓ２１は、システム１のユーザ情報の登録を実行することでき、このユーザ情報は、管理サイトＳのユーザ情報登録手段に保存される。また、ユーザ情報管理機能Ｓ２２では、管理サイトＳのユーザ情報登録手段に保存されたユーザ情報を更新または削除することができる。さらに、ユーザ情報管理機能Ｓ２２では、管理者は、１以上のグループを作成し、特定のユーザを選択して特定のグループのメンバーとして登録することができる。
【００５６】
また、測定結果情報管理機能Ｓ２３では、管理者は、管理サイトＳの測定結果記憶手段に保存されている視機能の測定結果のリストを、ユーザ毎にまたはグループ毎に表示することができる。トレーニング項目管理機能Ｓ２４では、管理者は、１以上の特定のユーザと１以上の視機能のコンテンツとの対応を定義し、その対応を登録することができる。
【００５７】
次に、図４〜図１３を参照して、システム１が備えるコンテンツの例について説明する。図４に示すコンテツは、眼と手の協応の機能を測定及び訓練するために好適なコンテンツである。このコンテンツでは、表示／操作手段１０の（コンテンツ画面内）の相互に異なる位置に、１種類の標的４０が所定の時間順次表示される。このコンテンツにおいて、指定された種類の（この場合、標的は１種類のため、この表示される１種類の）標的４０が表示されている間に、ユーザが、表示／操作手段１０上の標的４０に対応する領域（以下、この領域を単に標的ともいう）をタッチした場合、この操作が正当な操作（正反応）と判定される。
【００５８】
図５に示すコンテンツは、眼と手の協応の機能と判断力を測定及び訓練するために好適なコンテンツである。このコンテンツでは、表示／操作手段１０の（コンテンツ画面内の）相互に異なる位置に、複数種類の標的５０、５１が所定の時間順次表示される。このコンテンツにおいて、指定された種類の（例えば、標的５０）が表示されている間に、ユーザが、表示／操作手段１０上の標的５０をタッチした場合、この操作が正当な操作（正反応）と判定される。
【００５９】
図６に示すコンテンツは、静止した標的間に素早く視線を動かす眼球運動の機能と判断力を測定及び訓練するために好適なコンテンツである。このコンテンツは、表示／操作手段１０の（コンテンツ画面内の）特定の位置に、ランダムに点滅表示される複数種類の標的６１と、標的６１が表示される位置とは異なる位置に表示される入力位置６２とが含まれる。尚、図６では、１種類の標的６１のみが表示されているが、通常、複数種類の標的がランダムに切り替わりつつ表示される。このコンテンツにおいて、指定された種類の標的（例えば、標的６１）が表示されている間に、入力位置６２をタッチした場合、この操作が正当な操作（正反応）と判定される。
【００６０】
図７に示すコンテンツは、静止した標的間に素早く視線を動かす眼球運動の機能を測定及び訓練するために好適なコンテンツである。このコンテンツは、表示／操作手段１０の（コンテンツ画面内の）相互に異なる位置に表示される複数の標的群７１〜７８を含み、これらの標的群７１〜７８が所定の順序でその表示態様を変化させるように構成される。このコンテンツにおいて、標的群７１〜７８のうちの１つが指定の態様で表示される間に、当該標的群をタッチした場合、その操作が正当な操作（正反応）と判定される。
【００６１】
図示の例において、標的群７１〜７８は、それぞれ同一の数字を標識とする３つの標的からなり、表示態様の変化は、標的群の標的が１つずつ消えることに対応する。ユーザには、標的が１つとなった標的群のその標的をタッチすることが求められる。
【００６２】
図８に示すコンテンツは、視覚により瞬間的に捉えられた場面を記憶する瞬間視の機能を測定及び訓練するために好適なコンテンツである。このコンテンツには、表示／操作手段１０（のコンテンツ画面内）に所定の時間表示される符号列８１と、この符号列８１に対応する入力部８２とを含んでいる。このコンテンツにおいて、表示される符号列８１と、その表示の終了後に入力部８２に入力された符号列とが一致しているときに正当な操作（正反応）と判定される。図示の例において、符号列８１は６桁の数字からなり、入力部８２は、所謂テンキーに相当する。
【００６３】
図９に示すコンテンツは、動く物体を正確に見極めるための動体視力の機能を測定及び訓練するために好適なコンテンツである。このコンテンツには、表示／操作手段１０（のコンテツ画面内）に表示される表示位置が移動する１つ標的９１と、この標的９１上に所定のタイミングで表示され、複数の表示態様を備える標識９２とが含まれる。このコンテンツにおいて、ユーザには、標識９２の指定された表示態様を視認・記憶し、標的９１の表示の終了後に、表示／操作手段１０に記憶した表示態様を入力することが求められる。ユーザが、指定された表示態様を入力した場合、その操作が正当な操作（正反応）と判定される。
【００６４】
図示の例では、標識９２は、「Ｅ」字状の符号からなり、この標識９２の表示態様は、「Ｅ」字状の符号の上下左右の向きから構成される。表示される「Ｅ」字状の符号の向きは、１つ除いて同一であり、１つだけ異なる「Ｅ」字状の符号の向きが、ユーザが記憶及び入力すべき指定された表示態様となる。
【００６５】
図１０に示すコンテンツは、図９に示すコンテンツと基本的に同一のコンテンツであるが、標的９１が、コンテンツ画面内の特定の位置から連続して出射される点で、図９に示すコンテンツよりも難易度が高いものである。
【００６６】
図１１に示すコンテンツは、複数の目標物の間の距離を正確に認識するための俯瞰の機能を測定及び訓練するために好適なコンテンツである。このコンテンツでは、表示／操作手段１０（のコンテツ画面内）に、複数の標的１１１、１１２を含む三次元空間を二次元面に投影した投影画像が表示される。このコンテンツにおいて、投影画像のうち１つが問題画像として所定の時間表示された後、投影画像のうち複数の解答候補画像が表示される。複数の解答候補画像は、問題画像と同一の三次元空間を問題画像とは異なる視点から見た投影画像である正解画像と、問題画像とは異なる三次元空間に対応する不正解画像とからなるコンテンツが含まれており、正解画像の入力が正当な操作（正反応）と判定される。
【００６７】
図１１には、問題画像の一例が示されており、この問題画像には、輪郭線の太さによって区別される２種類の円錐形状の標的１１１、１１２が示されている。但し、このコンテツで使用可能な標的は図示の例に限定されるものではなく、任意の適切な形状、大きさ、色、テクスチャを有する標的を使用することができる。
【００６８】
図１２に示すコンテンツは、広い範囲の状況を把握するための周辺視の機能を測定及び訓練するために好適なコンテンツである。このコンテンツは、表示／操作手段１０の（コンテンツ画面内の）相互に異なる位置に表示される回転する複数の標的１２１を含んでいる。このコンテンツは、複数の標的１２１のうちの１つが他の標的とは異なる速度で回転するように構成され、他の標的とは異なる速度で回転する標的をタッチした場合、その操作が正当な操作（正反応）と判定される。
【００６９】
図１３に示すコンテンツは、広い範囲の状況を把握するための周辺視の機能と短期記憶の機能を測定及び訓練するために好適なコンテンツである。このコンテンツは、表示／操作手段１０の相互に異なる位置に表示される複数の標的１３１を含み、これらの複数の標的１３１が所定の順序で点滅するように構成される。このコンテンツにおいて、ユーザには、全ての標的１３１の点滅が終了した後、複数の標的１３１をそれらが点滅した順にタッチすることが求められ、ユーザが、点滅した順に複数の標的１３１をタッチした場合、その操作が正当な操作（正反応）と判定される。
【００７０】
以上のコンテツの実行に際して、測定結果記憶手段に保存され、測定結果画面Ｐ７に表示される測定結果には、それぞれのコンテンツに応じた実測値（例えば、正反応の数、全反応に対する正反応の割合、所定の起点から計測される反応時間等々）並びに実測値に応じて上述した判定基準を使用して付与されるレベル値が含まれるものであってもよい。
また、各コンテンツの難易度は、それぞれのコンテツに応じた設定（例えば、標的の表示時間、標的の表示範囲）等を変更することによって、調整することができる。
【００７１】
本実施形態におけるシステム１は、以上のように構成されているため、より効果的に視機能を訓練することが可能となるとともに、視機能の総合的かつ信頼性の高い評価が可能な視機能の総合的かつ信頼性の高い評価が可能となる。
特に、システム１では、管理サイトＳの測定結果記憶手段に保存されている視機能測定の結果（言い換えれば、システム１の使用に連れて蓄積されていく視機能に関するデータ）に少なくとも部分的に基づいて作成された判定基準を使用し、かつ、複数の視機能を用いて、各ユーザの視機能レベルを判定するものであり、この構成は、視機能の総合的かつ信頼性の高い評価のために特に有利なものである。
さらに、システム１では、測定及び訓練可能な複数の視機能に対応するコンテンツを、視機能の性質、ユーザの属性、目的とする競技等に基づいて編成することが可能であるため、ユーザは、より効果的に視機能を測定及び訓練することが可能となる。
【符号の説明】
【００７２】
１０：表示／操作手段、１１：制御手段（測定サイト）、１２：記憶手段（測定サイト）、２０：電子通信回線、３１：制御手段（管理サイト）、３２：記憶手段（管理サイト）、Ｃ１〜Ｃｎ：測定サイト、Ｓ：管理サイト
【図１】
2019181063.tif 000003
【図２】
2019181063.tif 000004
【図３】
2019181063.tif 000005
【図４】
2019181063.tif 000006
【図５】
2019181063.tif 000007
【図６】
2019181063.tif 000008
【図７】
2019181063.tif 000009
【図８】
2019181063.tif 000010
【図９】
2019181063.tif 000011
【図１０】
2019181063.tif 000012
【図１１】
2019181063.tif 000013
【図１２】
2019181063.tif 000014
【図１３】
2019181063.tif 000015